(57)【特許請求の範囲】
【請求項１】
棟瓦（含む下り棟）葺設において、棟上に配した複数の棟金具上に横架された丸瓦支持材の長手に沿って、複数の面板吊具を配設する工程と、該各面板吊具に面板を吊設する工程と、各面板の下端部とその下方の棧瓦間の間隙に詰装材を詰装する工程と、前記面板の表面に外装材層を形成する工程との結合から成ることを特徴とする棟面戸形成方法。
【請求項２】
丸瓦支持材に固定吊設する吊ア−ムと、該吊ア−ムの先端部に付設された面板係止体と、該面板係止体に係合された面板とから構成されて成ることを特徴とする棟面戸。
【請求項３】
前記面板は発泡合成樹脂材の成形体からなることを特徴とする請求項２記載の棟面戸。
【発明の詳細な説明】
【０００１】
【発明の属する技術分野】
この発明は棟面戸形成方法と棟面戸に係り、特に熨斗瓦を使用しない乾式棟瓦葺工法による棟面戸形成方法と棟面戸に関する。
【０００２】
【従来の技術】
従来の棟もしくは下り棟は、棟頂で突き合う棧瓦の上に詰装物（粘土）を塗り、その上に複数の熨斗瓦を重ね合わせ、その上に丸瓦を重ねて、下の熨斗瓦下面と棧瓦上面間の粘土表面に漆喰を塗って仕上げている。最近この熨斗瓦と詰装物を使用しない乾式棟瓦葺工法があり、これは棟頂に棟金具の支柱を複数固定し、該棟金具上に棟に沿う丸瓦支持材を横架して、該瓦支持材の上に丸瓦を載置する乾式棟瓦葺工法が知られている。
【０００３】
【発明が解決しようとする課題】
前記乾式棟瓦葺工法において、従来の熨斗瓦のあった部分は適当な部材（例えば漆喰）で塞ぐ必要があるが、使用する建物によって瓦の大きさが異なり、また下り棟では瓦を斜めに切ったその端面上の処理であるため、粘土を詰めて漆喰を塗る以外の方法はなかったが、それらは手間のかかる作業を要した。この発明はそれら実情に鑑みて、簡単な作業で丸瓦の下方の棟面戸の処理ができる棟面戸形成方法と棟面戸を提供することを目的として開発されたものである。
【０００４】
【課題を解決するための手段】
この発明は前記課題を解決し、目的を達成するために次のような技術的な手段を講じた。
【０００５】
すなわち、下り棟を含む棟瓦葺設において、棟上に配した複数の棟金具上に横架された丸瓦支持材の長手に沿って複数の面板吊具を配設する工程と、該各面板吊具に面板を吊設する工程と、各面板の下部とその下方の棧瓦間の間隙に詰装材を詰装する工程と、前記面板の表面に外装材層を形成する工程との結合から成る棟面戸形成方法、並びに丸瓦支持材に固定吊設するための吊ア−ムと、該吊ア−ムの先端部に付設された面板係止体と、該面板係止体に係合された面板とから構成された棟面戸、から成っている。
【０００６】
【作用】
上記のように構成されたこの発明は、次のような作用を有している。面板吊具は吊ア−ム２と面板係止体３から構成されていて、吊ア−ム２を丸瓦支持材Ｄに固定すると、棟金具Ｃが動かない限り動くことがない。従って、面板係止体３に面板４を固定させると、面板４も該面板吊具によって丸瓦支持材Ｄに堅固に固定される。面板４の下端部と桟瓦６の間に詰装材７が詰装されることによって面板４は動くことはない。これによって、上に葺設する丸瓦９も安定した状態で固定される。面板４表面に外装材層を形成することによって美観と耐候性が強化される。
【０００７】
【発明の実施の形態】
この発明の実施の形態を図面を参照して説明する。図５において、符号Ａは棟であり、Ｂは下り棟である。図１は図５における棟Ａに対してはａ矢視、下り棟Ｂに対してはｂ矢視を示す。図１において棟Ａ（Ｂ）の頂上に棟金具Ｃが棟Ａ（Ｂ）の長手に沿って一定の間隔置きに複数立設され、該棟金具Ｃ…の上に丸瓦支持材Ｄが横架されることは公知である。図１において棟面戸１は、前記丸瓦支持材Ｄに固定吊設する吊ア−ム２と該吊ア−ム２の先端部に付設された面板係止体３とから成る面板吊具の面板係止体３に係止された面板４とから構成されている。前記吊ア−ム２は面板係止体３と一体になったものでもよいが、取扱の上からは別体が好ましく、図においてはネジ３Ａにより固定する態様がとられているが、図２に示すように、吊ア−ム２の先端部に略Ｕ字形の係合部２Ｂを形成して該係合部２Ｂに面板係止体３を係合させるようにすることができる。図１中符号２Ａは釘孔であり、該釘孔２Ａに釘をさし、面板支持材Ｄに固定する。前記面板係止体３は長さ約１メ−トル、幅は１〜２センチぐらいで、その長手方向に所定の間隔、例えば２０センチ〜３０センチ間隔に前記吊ア−ム２を配設する。前記面板４の材質は耐水性，耐候性，できれば耐火性が好ましく、硬質発泡合成樹脂板にモルタルもしくは漆喰の食い込みができる貫通孔４Ａ…を無数に形成したもの、或いは網状金属板、不織繊維質シ−ト（樹脂で固形化したものなど）が利用される。この面板４の長さも、棟用では１メ−トル前後が扱いやすく、下り棟用では２０センチ前後の短いものとすることもできる。その場合には面板４の下端面を端棧瓦の湾曲に近い湾曲状（図示せず）に形成することができる。また、面板４の下端縁部に複数の縦切り線（図示せず）を長手に沿って形成することができ、これは軟質の面板を棧瓦に押しつけたときに棧瓦と接触する長い部分が撓みやすくすることができるようにするためである。面板４の肉厚は材質にもよるが、１ミリないし２０ミリぐらいのものである。図３は面板４の下端縁部が内側へ入らないように支承する固定具５である。主杆５Ａの中央部に棟金具Ｃと係合する係合体５Ｂ，５Ｂが突設され、両係合体５Ｂ，５Ｂを棟金具Ｃに外嵌させて先端部をペンチ等でかしめる。主杆５Ａの両端部には板受部５Ｃ，５Ｃが付設されている。従って、各棟金具Ｃに固定具５を装着し、面板４を板受部５Ｃに嵌装すると、それ以上、内側へ面板４は入らず固定される。而して、桟瓦６の上面は湾曲していることから面板４の下端面と桟瓦６上面間に隙間Ｅができるので、該隙間Ｅに適当な詰装材７（粘土，モルタル，樹脂系詰装材等）を詰装する。しかる後、前記面板４の表面に外装材層８を形成する。該外装材層８は漆喰，モルタル，或いは塗料等から選択される。しかる後、丸瓦支持材Ｄの上に丸瓦９を載置し固定する。
【０００８】
なおこの発明は前記実施例に限定されるものではなく適宜設計変更をすることができる。例えば図４に示すように面板４の下端部に板受具１０を装着し、該板受具１０の下部に下向きに突出させた係合突体１０Ａを固定具５の板受部５Ｃに係合させることができる。
【０００９】
【発明の効果】
上記のように構成されたこの発明は次のようなすぐれた効果を有している。
【００１０】
１．面板を吊ア−ムによって丸瓦支持材に固定し、面板表面に外装材層を形成するものなので、面板の取付工程が簡単で作業性にすぐれている効果がある。
【００１１】
２．棟上に粘土や熨斗瓦を使用しないので、作業性にすぐれて、屋根全体の重量を軽くすることができる効果がある。
【００１２】
３．従来の棟瓦は地震，風，自動車等による震動等によって崩れることがあるが、この棟瓦は面板が使用され、かつ棟金具に面板が固定されるため、崩れが生じにくい効果がある。
【００１３】
４．熨斗瓦を使用し粘土等の詰装物を用いる従来方式に比して手間が掛らず部材も安いのでコストダウンをすることができる効果がある。
【図面の簡単な説明】
【図１】棟（下り棟を含む）の正面図である。
【図２】面戸の吊ア−ムと面板吊具の第２実施例を示す正面図である。
【図３】面板の下部を支承する固定具の平面図である。
【図４】固定具の第２実施例を示す正面図である。
【図５】屋根の平面図である。
【符号の説明】
１            棟面戸
２            吊ア−ム
２Ａ          釘孔
３            面板係止体
３Ａ          ネジ
４            面板
４Ａ          貫通孔
５            固定具
５Ａ          主杆
５Ｂ          係合体
５Ｃ          板受部
６            棧瓦
７            詰装材
８            外装材層
９            丸瓦
１０          板受具
１０Ａ        係合突体
Ａ            棟
Ｂ            下り棟
Ｃ            棟金具
Ｄ            丸瓦受材
Ｅ            間隙
【図１】
0003600945.tif 000002
【図２】
0003600945.tif 000003
【図３】
0003600945.tif 000004
【図４】
0003600945.tif 000005
【図５】
0003600945.tif 000006